(57)【要約】【課題】建具本体１０と、建具本体１０に形成された通風部２０とを備えた建具１などの間仕切り材において、通風開口２１を開いた状態でもプライバシーを保護するとともに防犯性を高め、快適性も高める。【解決手段】建具本体１０に形成された通風開口２１と、通風開口２１を閉じる閉鎖位置と通風開口の縁部を支点として傾動することにより反支点側の縁部が室外側へ開く開放位置とに位置変化可能な開閉板２２，２３とからなる複数の通風部２０を設け、複数の通風部２０を建具本体１０の上下方向に分けて配置する。【選択図】図２
2017089203.tif 000002
【特許請求の範囲】
【請求項１】
間仕切り材本体と、間仕切り材本体に形成された通風部とを備えた間仕切り材であって、
上記通風部は、上記間仕切り材本体に形成された通風開口と、該通風開口を閉じる閉鎖位置と該通風開口の縁部を支点として傾動することにより反支点側の縁部が室外側へ開く開放位置とに位置変化可能な開閉板とを備え、
複数の上記通風部が間仕切り材本体の上下方向に分かれて配置されていることを特徴とする間仕切り材。
【請求項２】
請求項１において、
上記通風部は、上記間仕切り材本体の上下方向の２箇所に配置され、
上記開閉板の傾動動作の支点は、上側の通風部では通風開口の上縁部に配置され、下側の通風部では通風開口の下縁部に配置されていることを特徴とする間仕切り材。
【請求項３】
請求項１または２において、
上記通風部には、開閉板を操作するための開閉操作部が室内側だけに設けられていることを特徴とする間仕切り材。
【請求項４】
請求項１から３の何れか１つにおいて、
上記通風部には、上記開閉板が室内側へ開くのを禁止するストッパが設けられていることを特徴とする間仕切り材。
【請求項５】
請求項１から４の何れか１つにおいて、
上記間仕切り材本体は、左右に位置する縦框と上下に位置する横框とからなる框組構造の建具本体であり、
上記通風部は、上記建具本体の各框に囲まれる位置に配置されていることを特徴とする間仕切り材。
【請求項６】
請求項５において、
上記縦框に対して開閉板をスプリングの付勢力で閉じた位置に保持するプランジャ機構を備えていることを特徴とする間仕切り材。
【請求項７】
請求項５において、
上記縦框及び横框の少なくとも一方に対して開閉板を磁石の磁力で閉じた位置に保持するマグネット機構を備えていることを特徴とする間仕切り材。
【発明の詳細な説明】
【技術分野】
【０００１】
本発明は、建具や壁などの間仕切り材に関し、特に開閉可能な通風部を備えた間仕切り材に関するものである。
【背景技術】
【０００２】
従来、室内の空間を間仕切るドアなどの建具の下部には、アンダーカットと呼ばれる通気口が設けられている。そして、このアンダーカットが通気経路になって廊下や隣室から空気を取り込み、居室内の空気を循環させるようにしている。しかしながら、上記アンダーカットを通気経路に用いるだけでは、隣室の空気を循環させるには通風量が不十分な場合がある。
【０００３】
一方、隣室の空気を取り入れるために通風部を設けた建具が知られている。この種の建具（ドア）では、通風部として、通風開口と、通風開口を開閉する開閉板とが設けられている。このように建具に通風部を設けると、隣室の空気を通風部から取り込んで居室内の空気を循環させることができる。また、この建具を用いると、隣室の空調空気を取り入れることも可能であるため、建具を介して隣室の空調空気を２室にわたって循環させることができるから、１台の空気調和装置で２室の快適性を高めることが可能になる。
【０００４】
例えば、特許文献１には、建具の上部に比較的大きな通風開口とこの開口を大きく開放できる開閉扉を設けたドアが開示されている．また、特許文献２には、縦長の貫通孔と回動自在な把手板を設けることにより通風可能にしたドアが開示されている。
【先行技術文献】
【特許文献】
【０００５】
【特許文献１】特開平１１−２７３０２９号公報
【特許文献２】特開２０１１−１１１８２６号公報
【発明の概要】
【発明が解決しようとする課題】
【０００６】
しかしながら、特許文献１，２の建具（間仕切り材）では、開閉扉を開いた状態では通風開口が大きく開いた状態になり、外部（隣室）から居室内を覗くことが可能になってしまう。また、開閉扉が開いていると、室外からでもドアを開けることができるため、そのままではプライバシー保護や防犯の観点で問題があった。また、縦長の通風開口を１つ設けた場合、夏の冷たい空調空気は通風開口の下方の部分しか通らず、冬の暖かい空調空気は通風開口の上方の部分しか通らないので、開口の有効面積が小さく、快適性に乏しい問題があった。
【０００７】
本発明は、このような問題点に鑑みてなされたものであり、その目的は、通風部を備えた間仕切り材において、通風開口を開いた状態でもプライバシーを保護できるとともに防犯性を高められるようにし、なおかつ快適性も高められるようにすることである。
【課題を解決するための手段】
【０００８】
第１の発明は、間仕切り材本体と、間仕切り材本体に形成された通風部とを備えた間仕切り材を前提としている。
【０００９】
そして、この間仕切り材は、上記通風部が、上記間仕切り材本体に形成された通風開口と、該通風開口を閉じる閉鎖位置と該通風開口の縁部を支点として傾動することにより反支点側の縁部が室外側へ開く開放位置とに位置変化可能な開閉板とを備え、複数の上記通風部が間仕切り材本体の上下方向に分かれて配置されていることを特徴としている。ここで、本明細書において、「傾動」は開閉板が傾く程度の動作を意味し、開閉板が大きく開く動作は含まない。
【００１０】
この第１の発明では、間仕切り材本体の上下方向に分かれて配置された複数の通風部を開くことにより、隣室などの空気を居室内に取り込むことができる。
【００１１】
第２の発明は、第１の発明において、上記通風部が、上記間仕切り材具本体の上下方向の２箇所に配置され、上記開閉板の傾動動作の支点が、上側の通風部では通風開口の上縁部に配置され、下側の通風部では通風開口の下縁部に配置されていることを特徴としている。
【００１２】
この第２の発明では、上側の通風部を開くことにより、夏場などに上から下へ冷気を流しやすくなり、下側の通風パネルを開くことにより、冬場などに下から上へ暖気を流しやすくなる。
【００１３】
第３の発明は、第１または第２の発明において、上記通風部には、開閉板を操作するための開閉操作部が室内側だけに設けられていることを特徴としている。
【００１４】
この第３の発明では、開閉板を室内側から操作して開いた時にだけ、外部の空気を居室内に取り込むことができる。
【００１５】
第４の発明は、第１から第３の発明の何れか１つにおいて、上記通風部には、上記開閉板が室内側へ開くのを禁止するストッパが設けられていることを特徴としている。
【００１６】
この第４の明では、ストッパを設けたことにより、開閉板が誤って室内側へ向かって開くのを防止できる。
【００１７】
第５の発明は、第１から第４の発明の何れか１つにおいて、上記間仕切り材本体が、左右に位置する縦框と上下に位置する横框とからなる框組構造の建具本体であり、上記通風部は、上記建具本体の各框に囲まれる位置に配置されていることを特徴としている。
【００１８】
この第５の発明では、縦框と横框に囲まれた通風部を用いて、隣室などの空気を居室内に取り込むことができる。
【００１９】
第６の発明は、第５の発明において、上記縦框に対して開閉板をスプリングの付勢力で閉じた位置に保持するプランジャ機構を備えていることを特徴としている。
【００２０】
この第６の発明では、プランジャ機構が有するスプリングの付勢力で開閉板を縦框に対して閉じた位置に保持できるから、建具本体を開く時に開閉板が誤って開くことがない。
【００２１】
第７の発明は、第５の発明において、上記縦框及び横框の少なくとも一方に対して開閉板を磁石の磁力で閉じた位置に保持するマグネット機構を備えていることを特徴としている。
【００２２】
この第７の発明では、マグネット機構が有する磁石の磁力で開閉板を縦框又は横框に対して閉じた位置に保持できるから、建具本体を開くときに開閉板が誤って開くことがない。
【発明の効果】
【００２３】
本発明によれば、傾動する開閉板を備えた通風部が上下に分かれて設けられているので、間仕切り材の上下方向に長い通風部を設けるよりも、室外から室内を覗きにくくしつつ、通風効果をより得やすくすることができる。つまり、通風開口を開いた状態でも全開にはならないのでプライバシーを保護できるとともに防犯性も高めることができ、なおかつ通風開口の有効面積を大きくできるので快適性も高められる。
【００２４】
また、夏には上側の通風部を開くことにより上から下へ冷気を流しやすくなり、冬には下側の通風パネルを開くことにより下から上へ暖気を流しやすくなるので、夏と冬の気候条件によって最適な通風効果を得ることができる。また、上側の通風部及び下側の通風部の有効面積が従来よりも大きいので、従来よりも快適性を高められる。
【００２５】
さらに、この間仕切り材では、通風部を室内側からだけ開くことができるから、室内にいる人のプライバシーを確実に保護することができる。
【００２６】
また、この間仕切り材では、開閉板が室内へ向かって開くのをストッパで防止できるから、室外から無断で通風部を開放することはできず、より確実にプライバシーを保護でき、しかも防犯性をよりいっそう高められる。
【００２７】
また、本発明では、縦框と横框で囲まれた部分に通風部を設けており、框組構造を採用した建具を構成できるようにしているので、通風部を使用しない時は通常の建具と変わらない外観を採用し、ドアなどの建具をインテリアに取り入れやすいデザインにすることができる。また、縦框と横框で囲まれた部分通風部の開閉板を設けているから、フラットデザインなどにも容易に適用できる。また、本発明は引戸等の他の形態にも適用でき、高い効果を奏することができる。
【００２８】
さらに、プランジャ機構が有するスプリングの付勢力で開閉板を縦框に対して閉じた位置に保持できるから、建具を開閉するときに開閉板が誤って開くことがなく、開閉板が不安定な動作をするのを抑制できる。
【００２９】
また、マグネット機構が有する磁石の磁力で開閉板を縦框又は横框に対して閉じた位置に保持できるから、建具本体を開くときに開閉板が誤って開くことがなく、開閉板が不安定な動作をするのを抑制できる。
【図面の簡単な説明】
【００３０】
【図１】図１は、本発明の実施形態１に係る建具（ドア）を通風部が閉じた状態で示す斜視図である。
【図２】図２は、図１の建具を通風部が開いた状態で示す斜視図である。
【図３】図３は、図１の建具の分解斜視図である。
【図４】図４は、図１の建具の正面図である。
【図５】図５は、図４の建具のV−V線断面図である。
【図６】図６は、図４の建具の側面図である。
【図７】図７は、図４のVII−VII線断面図である。
【図８】図８は、図４のVIII−VIII線断面図である。
【図９】図９は、図４の建具の建具本体の芯材構成図（図６のIX−IX線断面図）である。
【図１０】図１０は、図５のＸ部拡大図である。
【図１１】図１１は、通風部に設けられた手掛かり部の拡大断面図である。
【図１２】図１２は、プランジャ機構の拡大図である。
【図１３】図１３は、実施形態１の変形例に係るマグネット機構の拡大図である。
【図１４】図１４は、図１３のXIV−XIV線断面図である。
【図１５】図１５は、本発明の実施形態２に係る建具（ドア）の正面図である。
【図１６】図１６は、図１５の中央縦断面図であり、開閉板を閉じた状態を示している。
【図１７】図１７は、図１６の中央部部分拡大図である。
【図１８】図１８は、図１５の建具の開閉板を開いた状態の斜視図である。
【００３１】
【図１９】図１９は、本発明の実施形態３に係る建具（引戸）の概略構成図である。
【図２０】図２０は、実施形態３の変形例を示す概略構成図である。
【発明を実施するための形態】
【００３２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３３】
《発明の実施形態１》
本発明の実施形態１について説明する。
【００３４】
この実施形態１は、間仕切り材本体と間仕切り材本体に形成された通風部とを備えた本発明の間仕切り材の構成を建具１（ドア）に適用したものである。図１はこの実施形態１の建具１の通風部２０を閉じた状態の斜視図、図２は建具１の通風部２０を開いた状態の斜視図、図３は建具１の分解斜視図、図４は建具１の正面図、図５は建具１のV−V線断面図、図６は建具１の側面図、図７は図４のVII−VII線断面図、図８は図４のVIII−VIII線断面図、図９は建具本体１０の芯材構成図（図６のIX−IX線断面図）、図１０は図５のＸ部拡大図、図１１は通風部２０の開閉板２２，２３に設けられた手掛かり部２５の拡大断面図、図１２はプランジャ機構５０の模式構造図である。なお、建具１（ドア）は、図２においてドアハンドル１９と反対側（図の右側）に設けられている蝶番（図示せず）を中心として室外側へ開くように構成されている。
【００３５】
この建具１は、建具本体１０（間仕切り材本体）を備え、この建具本体１０に複数の上記通風部２０が建具１の上下方向に分かれて配置されている。具体的には、上記通風部２０（２０ａ，２０ｂ）は、建具本体１０の上下方向の２箇所に形成されている。
【００３６】
上記通風部２０は、上記建具本体１０に形成された通風開口２１と、該通風開口２１を閉じる図１の閉鎖位置と該通風開口２１の１つの縁部を支点として傾動することにより反支点側の縁部が室外側へ開く図２の開放位置とに位置変化可能な開閉板２２，２３とを備えている。傾動角度の詳細は後述するが、本実施形態１では「傾動」は開閉板２２，２３がわずかに傾く程度の動作を意味している。
【００３７】
上記建具本体１０には、図３，４等に示すように、左右に位置する縦框１１，１２と上下に位置する横框１３，１４とからなる框組構造が採用されている。そして、上記通風部２０は、上記建具本体１０の縦框１１，１２と横框１３，１４に囲まれる位置に配置されている。
【００３８】
上記建具本体１０の縦框１１，１２は、上記建具本体１０の左右の縁部において上端から下端まで連続した部材である。上記横框１３，１４は、上記建具本体１０の上下の縁部において左右の縦框１１，１２の間に配置された部材である。上記建具本体１０の上下方向の中央部には横桟１５が設けられている。上側の横框１３と横桟１５との間に上側の通風部２０ａが形成され、下側の横框１４と横桟１５との間に下側の通風部２０ｂが形成されている。縦框１１の外側の縁部の上下端部には凹部１６が形成されている。また、図１〜図４の左側の縦框１２にはドアハンドル１９が設けられている。
【００３９】
上記建具本体１０は、図９に示すように芯材３０を組み合わせて構成されるとともに、芯材３０の表面に、図１０に示すように化粧板４０を貼り付けることにより構成されている。上記芯材３０は、建具本体１０の左右方向の外側に位置する縦框用第１芯材３１と、建具本体１０の左右方向の内側に位置する縦框用第２芯材３２と、建具本体１０の上下方向の外側に位置する横框用第１芯材３３と、建具本体１０の上下方向の内側に位置する横框用第２芯材３４とを備えている。
【００４０】
横框用第１芯材３３と横框用第２芯材３４は同じ寸法構成の部材であり、縦框用第２芯材３２の延長線上に第１補強材３５が取り付けられている。縦框用第１芯材３１は建具本体１０の上端から下端までの長さ寸法で構成され、縦框用第２芯材３２は縦框用第１芯材３１よりも短い長さ寸法で構成されている。具体的には、縦框用第２芯材３２は、上下の横框用第２芯材３４同士に内側から接続される長さ寸法で構成されている。また、縦框用第１芯材３１と縦框用第２芯材３２の間には、所定間隔で第２補強材３６が取り付けられている。図９の左側の縦框用第１芯材３１と縦框用第２芯材３２の間には、上下方向の中央位置に、ドアハンドル取り付け板３７が設けられている。
【００４１】
図３，図４，図７，図８に示すように、上記縦框１１，１２には、上記開閉板２２，２３の傾動動作の中心となる支点ピン１７が設けられている。この支点ピン１７は、上側の通風部２０ａでは通風開口２１の上縁部側に配置され、下側の通風部２０ｂでは通風開口２１の下縁部側に配置されている。
【００４２】
また、図３，図４，図７，図８，図１２に示すように、上記縦框１１，１２には、上記開閉板２２，２３の開閉側の端部にプランジャ機構５０が設けられている。プランジャ機構５０は、図１２に示すように、上記縦框１１，１２に対して開閉板２２，２３をスプリング５１の付勢力で閉じた位置に保持するように構成されている。プランジャ機構５０は、ボールプランジャ５２と、このボールプランジャ５２を開閉板２２，２３に向かって付勢する上記スプリング５１とを有し、開閉板２２，２３にはボールプランジャ５２の先端を受ける位置決め凹部５３が形成されている。ボールプランジャ５２の先端が位置決め凹部５３にスプリング５１の付勢力で係合した図１２の状態では、建具１であるドアを開閉するときに、開閉板２２，２３が容易には開閉しないようになっている。
【００４３】
また、図３，図４，図７，図８に示すように、上記縦框１１，１２と開閉板２２，２３の間には、開閉板２２，２３の開閉角度を制限するためのアーム６０が連結されている。このアーム６０は、上下の開閉板２２，２３の開閉側の端部の、プランジャ機構５０よりもわずかに傾動中心寄りの位置に設けられており、上下の開閉板２２，２３のそれぞれに、左右に１つずつ設けられている。
【００４４】
アーム６０は、縦框１１，１２に設けられた第１ピン６１を中心として回動可能に構成されている。また、アーム６０は、開閉板２２，２３に設けられた第２ピン６２に、該アーム３０の先端側に形成された長孔６３によって連結されている。各開閉板２２，２３を開閉すると、図８に示すようにアーム６０の角度が変化し、長孔６３の中で第２ピン６２が移動する。アーム６０が一定角度までしか開かないように構成されているので、各開閉板２２，２３が建具本体１０に対して開く角度も、一定の角度（約５°）に制限されている。
【００４５】
上記建具本体１０には、図５，図１０に示すように、通風部２０の開閉板２２，２３が室内側へ開くのを禁止するストッパ１８が設けられている。このストッパ１８は、左右の縦框１１，１２の内側の縁部に形成された段差部１１ａ，１２ａにより構成されている。上記ストッパ１８である段差部１１ａ，１２ａは、建具本体１０の室内側の面に形成されている。この建具１では、上記ストッパ１８を設けたことにより、開閉板２２，２３を室外側へだけ開くことができ、室内側へは開くことができないようになっている。
【００４６】
また、図１１に示すように、上記開閉板２２，２３には、該開閉板２２，２３を操作するための手掛かり部２５（開閉操作部）が室内側だけに設けられている。手掛かり部２５は、居室者が手を引っ掛けて開閉板２２，２３を操作するための凹陥部である。具体的には、開閉板２２，２３を開くときには開閉板２２，２３の傾動側の縁部を室外側へ向かって押し出し、閉じるときには手掛かり部２５に手を引っ掛けて開閉板２２，２３の傾動側の縁部を室内側へ向かって引っ張ることにより、開閉操作を室内側から行うことができる。特に、開閉板２２，２３の室外側には手掛かり部２５が設けられていないので、開閉板２２，２３を開く操作を室外側からすることはできない。
【００４７】
以上のように、この実施形態１の建具１では、建具本体１０の上下方向の２箇所に分かれて配置された通風部２０（２０ａ，２０ｂ）を室内側から操作して室外側へ押して開けることにより、隣室などの空気が居室内に取り込まれる。その際、縦框１１，１２と横框１３，１４に囲まれた部分の上側の通風部２０ａを開くと、夏場などに上から下へ冷気を流しやすくなり、下側の通風部２０ｂを開くと、冬場などに下から上へ暖気を流しやすくなる。また、開閉板２２，２３を操作する際に、上記ストッパ１８の機能によって、開閉板２２，２３は室外側へだけ開き、室内側へは開かない。
【００４８】
−実施形態１の効果−
本実施形態１によれば、通風部２０（２０ａ，２０ｂ）を上下の２箇所に分けて設けており、通風部２０（２０ａ，２０ｂ）の有効面積を大きくしているので、建具１の上下方向に細長い通風部を設けるよりも、室外から室内を覗きにくくしつつ、通風効果を得やすくして快適性を高められる。また、開閉板２２，２３は傾動するだけで全開にならないので、通風開口を開いた状態でもプライバシーを保護できるとともに防犯性も高めることができる。
【００４９】
また、上下に細長い通風開口を設けた場合には、隣室との間で空調空気を共用する場合に上半分または下半分が無駄な開口になっていたが、本実施形態１では、夏には上側の通風部２０ａを開くことにより上から下へ冷気を流しやすくなり、冬には下側の通風部２０ｂを開くことにより下から上へ暖気を流しやすくなるので、夏と冬の気候条件によって最適な通風効果を得ることができ、快適性を高められる。
【００５０】
また、この建具１では、通風部２０を室内側からだけ開くことができ、室外側からは開けられないから、室内にいる人のプライバシーを確実に保護することができる。特に、この建具１では、開閉板２２，２３が室内へ向かって開くのをストッパ１８で防止できるから、室外から無断で通風部２０を開放することはできず、より確実にプライバシーを保護でき、しかも防犯性を高められる。
【００５１】
また、本実施形態１では、縦框１１，１２と横框１３，１４で囲まれた部分に通風部２０を設けており、框組構造を採用した建具１を構成して、通風部２０を使用しない時は建具１を通常の建具と変わらない外観にしている。したがって、建具１をインテリアとの統一性のとれたデザインにすることができる。また、縦框１１，１２と横框１３，１４の内側に通風部２０の開閉板２２，２３を設けているから、フラットデザインなどにも容易に対応できる。
【００５２】
また、本実施形態１の建具１は、プランジャ機構５０が有するスプリング５１の付勢力で開閉板２２，２３を縦框１１，１２に対して閉じた位置に保持できるから、建具（ドア）１を開閉するときに開閉板２２，２３が誤って開くことがなく、開閉板２２，２３が不安定な動作をするのを抑制できる。
【００５３】
また、この建具１は開閉板２２，２３を室外側へ開く構成であり、建具自体も図２において室外側へ開く構成であるので、開閉板２２，２３が建具（ドア）の開閉に影響することもない。
【００５４】
−実施形態１の変形例−
上記実施形態１では、建具１を開閉するときに開閉板２２，２３を閉じた位置に保持しておくためにスプリング５１を利用したプランジャ機構５０を設けているが、プランジャ機構５０の代わりに、図１３，図１４に示すように、上記縦框１１，１２及び横框１３，１４の少なくとも一方に対して、開閉板２２，２３を、磁石５６，５７，５８の磁力を利用して閉じた位置に保持するマグネット機構５５を設けてもよい。図は、開閉板２２，２３を磁石５６，５７，５８の磁力で縦框１１，１２に対して閉じた位置に保持するように構成した例であるが、開閉板２２，２３を磁石５６，５７，５８の磁力で横框１３，１４に対して閉じた位置に保持するようにしてもよい。
【００５５】
この変形例では、図１３に示すように、開閉板２２，２３と縦框１１，１２とに磁石５６，５７，５８が設けられている。具体的には、図１４に示すように、開閉板２２，２３に磁石５６がＳ極を表面にして設けられている（以下、Ｓ極磁石という）。また、縦框１１，１２には、室外側に磁石５７がＳ極を表面にして設けられ、室内側に磁石５８がＮ極を表面にして設けられている（Ｎ極磁石という）。
【００５６】
この変形例では、Ｓ極磁石５６，５７同士が常に反発する。したがって、開閉扉２２，２３を閉じた状態にしているときに建具１を開閉しても、開閉扉２２，２３は、Ｓ極磁石５６がＮ極磁石５８に吸引されるとともにＳ極磁石５７の磁場を容易には乗り越えないので、開閉板２２，２３は縦框１１，１２のストッパ１８である段差部１１ａ，１２ａに当接した状態に保持されて、誤って開くことはない。一方、居室者が開閉板２２，２３を室外側へ磁石５６，５７，５８の磁力を超える力で押し出せば、開閉板２２，２３を開いて通風効果を得ることができる状態となる。
【００５７】
この変形例は、プランジャ機構５０の代わりにマグネット機構５５を設けている以外は実施形態１と同じ構成である。したがって、その効果についても、実施形態１と同様の効果を得ることができる。
【００５８】
《発明の実施形態２》
本発明の実施形態２について説明する。
【００５９】
この実施形態２は、実施形態１と同様に、間仕切り材本体と間仕切り材本体に形成された通風部とを備えた本発明の間仕切り材の構成を建具１（ドア）に適用したものである。図１５は実施形態２に係る建具の正面図、図１６は図１５の中央縦断面図であり、開閉板を閉じた状態の図、図１７は図１６の中央部部分拡大図、図１８は図１５の建具の開閉板を開いた状態の斜視図である。
【００６０】
図示するように、この実施形態２の建具１は、縦框１１，１２と横框１３，１４からなる框組構造の建具本体１０の内側に開閉板２２，２３が設けられている点は実施形態１と共通しているが、図１８に最もよく示されているように、実施形態１の横桟１５に相当する部材は設けられていない。つまり、この実施形態２の建具１は、各開閉板２２，２３を閉じたときに、上側の開閉板２２の下縁と下側の開閉板２３の上縁とが突き合わされる構成になっている（図１６，図１７参照）。
【００６１】
各開閉板２２，２３の先端部分には、図１７に仮想線で示す状態に変形するように弾力性を有するカバー部材２６が設けられている。このカバー部材２６は、外力が加わらない状態では、その表面が開閉板２２，２３の表面側の面と同一面になるように形成されている。一方、開閉板２２，２３を操作するときには、居室者がカバー部材２６を押すことで、該カバー部材２６が仮想線の状態に弾性的に変化して手掛かり部２５が露出する。したがって、居室者は、手掛かり部２５に手を掛けて開閉板を開閉することができる。
【００６２】
その他の構成は、実施形態１と同じである。
【００６３】
この実施形態２においても、室外から室内を覗きにくくしつつ、通風効果を得やすくして快適性を高められるほか、上記実施形態１と同様の効果を奏することができる。
【００６４】
《発明の実施形態３》
本発明の実施形態３について説明する。
【００６５】
本発明の実施形態３は、間仕切り材本体と間仕切り材本体に形成された通風部とを備えた本発明の間仕切り材の構成を引戸５に適用した例である。図１９，図２０は引戸５と縦桟６を平面から視た概略構成図である。
【００６６】
図１９に示すように、２枚構造の引戸５の場合は、一枚の引戸５ａに開閉板２２，２３を設け、他の一枚の引戸５ｂには開閉板を設けていない。そして、上記開閉板２２，２３が室内側から室外側へ向かって開く構成にするとともに、開閉板２２，２３を室内側だけから操作できるように構成している。この実施形態３では、引戸５ａを正面から見たときに開閉板２２，２３が上下に位置する配置や、開閉板２２，２３を開くための構造は、実施形態１，２と同じであるため、図示を省略している。
【００６７】
このように、間仕切り材本体と間仕切り材本体に形成された通風部とを備えた本発明の間仕切り材の構成を引戸５に適用した場合でも、室外から室内を覗きにくくしつつ、通風効果を得やすくして快適性を高められる。また、その他にも、実施形態１，２と同様の効果を奏することができる。
【００６８】
−実施形態３の変形例−
図２０は、本発明を３枚構造の引戸に適用した変形例を示す概略構成図である。この変形例では、図の左側に位置する１枚の引戸５ａにだけ開閉板２２，２３を設けており、図の右側の引戸５ｂと中央の引戸５ｃには開閉板を設けていない。
【００６９】
この変形例においても、上記開閉板２２，２３が室内側から室外側に向かって開く構成にするとともに、開閉板２２，２３を室内側だけから操作できるように構成している。また、引戸５ａを正面から見たときに開閉板２２，２３が上下に位置する配置や、開閉板２２，２３を開く構造は、実施形態１，２と同じである。
【００７０】
なお、中央の引戸５ｃに関しては、開閉板を設けると引戸５ｃの開け閉めの邪魔になるおそれがあるために、この変形例では開閉板を設けていない。
【００７１】
この変形例においても、室外から室内を覗きにくくしつつ、通風効果を得やすくして快適性を高められるほか、実施形態１，２と同様の効果を奏することができる。
【００７２】
《その他の実施形態》
上記実施形態については、以下のような構成としてもよい。
【００７３】
上記実施形態では、本発明を間仕切り材としてドアや引戸などの建具１に適用した例を説明したが、本発明は、壁などの他の間仕切り材に適用してもよい。壁に適用した場合でも、上下方向に複数に分かれた通風部２０を設けることにより、室外から室内を覗きにくくしつつ、高い通風効果を得ることができる。
【００７４】
また、上記通風部２０は、間仕切り材の上下２箇所に設ける構成に限定する必要はなく、３箇所以上に分けて設けてもよい。
【００７５】
さらに、通風部２０の開閉板２２，２３を開く角度は、上記実施形態で説明した角度（約５°）に限定されるものではなく、間仕切り材の構成に応じて適宜選択すればよい。
【００７６】
また、上記開閉操作部２５やストッパ１８の構成も間仕切り材の具体的な構成に応じて適宜変更してもよい。
【００７７】
さらに、上記建具１では、該建具１を開閉する時に開閉板２２，２３が誤って開かないようにするためにプランジャ機構５０やマグネット機構５５を設けているが、レバーで開閉板２２，２３の動作を規制する機構など、その他のロック機構を設けてもよい。
【産業上の利用可能性】
【００７８】
以上説明したように、本発明は、開閉可能な通風部を備えた間仕切り材について有用である。
【符号の説明】
【００７９】
１    建具（間仕切り材）
１０  建具本体（間仕切り材本体）
１１  縦框
１２  縦框
１３  横框
１４  横框
１８  ストッパ
２０  通風部
２１  通風開口
２２  開閉板
２３  開閉板
２５  手掛かり部（開閉操作部）
５０  プランジャ機構
５１  スプリング
５５  マグネット機構
５６  磁石
５７  磁石
５８  磁石
【図１】
2017089203.tif 000003
【図２】
2017089203.tif 000004
【図３】
2017089203.tif 000005
【図４】
2017089203.tif 000006
【図５】
2017089203.tif 000007
【図６】
2017089203.tif 000008
【図７】
2017089203.tif 000009
【図８】
2017089203.tif 000010
【図９】
2017089203.tif 000011
【図１０】
2017089203.tif 000012
【図１１】
2017089203.tif 000013
【図１２】
2017089203.tif 000014
【図１３】
2017089203.tif 000015
【図１４】
2017089203.tif 000016
【図１５】
2017089203.tif 000017
【図１６】
2017089203.tif 000018
【図１７】
2017089203.tif 000019
【図１８】
2017089203.tif 000020
【図１９】
2017089203.tif 000021
【図２０】
2017089203.tif 000022